(57)【要約】【課題】この発明の目的は、静止画像を動画のように見えるように簡単に編集することができ、動画のように見える静止画像に簡単に楽曲を付けることができ、静止画像の新たな利用形態を実現することにある。【解決手段】この発明は、静止画像データを記憶した端末が電気通信回線を介して接続される画像編集サーバを設け、この画像編集サーバは、端末からの画像処理要求に応じて静止画像データに対する動的画像処理を設定する動的画像処理設定手段と、設定された動的画像処理に基づいて静止画像データを処理する静止画像データ処理手段と、端末からの楽曲設定要求に応じて楽曲データを設定する楽曲データ設定手段と、端末からの閲覧要求に応じて動的画像処理された静止画像データを出力するとともに静止画像データの出力に同調して設定された楽曲データを出力するデータ出力手段とを備えていることを特徴とする。【選択図】図１
2005228022.tif 000002
【特許請求の範囲】
【請求項１】
静止画像データを記憶した端末が電気通信回線を介して接続される画像編集サーバを設け、この画像編集サーバは、前記端末からの画像処理要求に応じて静止画像データに対する動的画像処理を設定する動的画像処理設定手段と、この動的画像処理設定手段により設定された動的画像処理に基づいて前記静止画像データを処理する静止画像データ処理手段と、前記端末からの楽曲設定要求に応じて静止画像データに付設される楽曲の楽曲データを設定する楽曲データ設定手段と、前記端末からの閲覧要求に応じて前記静止画像データ処理手段により動的画像処理された静止画像データを出力するとともにこの動的画像処理された静止画像データの出力に同調して前記楽曲データ設定手段により設定された楽曲データを出力するデータ出力手段とを備えていることを特徴とする画像編集システム。
【発明の詳細な説明】
【技術分野】
【０００１】
この発明は画像編集システムに係り、特に、静止画像を動画のように見えるように簡単に編集することができ、また、動画のように見える静止画像に簡単に楽曲を付けることができ、静止画像の新たな利用形態を実現することができる画像編集システムに関する。
【背景技術】
【０００２】
パソコンにおいては、デジタルカメラにより撮影した静止画像やスキャナにより読み込んだ写真等の静止画像を取込み、電子アルバム等を利用して保存することが行われている。電子アルバムは、取り込んだ静止画像を所望の順序に並べて保存することができ、また、静止画像に効果（エフェクト）を加えて編集することができる。
【０００３】
従来の画像編集システムには、広角レンズが装着されたデジタルカメラで撮影された画像情報をインターネットを介して端末装置に送信し、広角レンズで撮影された広角画像の歪みを補正して表示手段に表示させ、この歪み補正された画像中から水平軸を中心として画像を切り出し、その画像の垂直軸を一定の速度で動かすことによって動画を作成するものがある。
【特許文献１】特開２００３−１４１５２１号公報
【発明の開示】
【発明が解決しようとする課題】
【０００４】
ところが、電子アルバム等における静止画像の編集は、静止画像に効果を加えて新たな静止画像を作成するものであり、静止画像が動画のように見えるように編集することができない問題があった。
【０００５】
また、静止画像に動的な効果を加えて動画を作成することもできるが、操作が難しく、効果の内容を変更するには新たに動画を作成しなおさなければならず、編集に手間がかかる不都合があった。
【課題を解決するための手段】
【０００６】
この発明は、静止画像データを記憶した端末が電気通信回線を介して接続される画像編集サーバを設け、この画像編集サーバは、前記端末からの画像処理要求に応じて静止画像データに対する動的画像処理を設定する動的画像処理設定手段と、この動的画像処理設定手段により設定された動的画像処理に基づいて前記静止画像データを処理する静止画像データ処理手段と、前記端末からの楽曲設定要求に応じて静止画像データに付設される楽曲の楽曲データを設定する楽曲データ設定手段と、前記端末からの閲覧要求に応じて前記静止画像データ処理手段により動的画像処理された静止画像データを出力するとともにこの動的画像処理された静止画像データの出力に同調して前記楽曲データ設定手段により設定された楽曲データを出力するデータ出力手段とを備えていることを特徴とする。
【発明の効果】
【０００７】
この発明の画像編集システムは、静止画像データを記憶した端末を電気通信回線を介して画像編集サーバに接続し、端末からの画像処理要求に応じて画像編集サーバの動的画像処理設定手段により静止画像データに対する動的画像処理を設定し、端末からの楽曲設定要求に応じて楽曲データ設定手段により静止画像データに付設される楽曲の楽曲データを設定し、端末からの閲覧要求に応じて静止画像データ処理手段により動的画像処理された静止画像データを出力するとともにこの動的画像処理された静止画像データの出力に同調して楽曲データ設定手段により設定された楽曲データを出力することにより、静止画像を動画のように見えるように簡単に編集することができ、動画のように見える静止画像に簡単に楽曲を付けることができ、楽曲に合わせて静止画像を動画のように見せる処理を加えることができ、静止画像の新たな利用形態を実現することができる。
【発明を実施するための最良の形態】
【０００８】
この発明の画像編集システムは、静止画像を動画のように見えるように簡単に編集でき、動画のように見える静止画像に簡単に楽曲を付けるために、静止画像データを記憶した端末が接続される画像編集サーバに、静止画像データに対する動的画像処理を設定する機能と、静止画像データに付設される楽曲の楽曲データを設定する機能と、動的画像処理された静止画像データ及びこの静止画像データに付設された楽曲データを同調させて出力する機能とをもたせている。
以下図面に基づいて、この発明の実施例を説明する。
【実施例】
【０００９】
図１〜図２は、この発明の実施例を示すものである。図２において、２は画像編集システムである。画像編集システム２は、インターネット等の電気通信回線４と、この電気通信回線４に接続されて各種サイトへのアクセス等に利用される端末６と、前記電気通信回線４に接続されて画像編集サイトの運営に供される画像編集サーバ８とを備えている。
【００１０】
前記端末６は、少なくとも記憶手段１０と入力手段１２と表示手段１４とスピーカ１６とを有し、画像編集サーバ８により運営される画像編集サイトにアクセスすることが可能となっている。記憶手段１０は、ハードディスク等からなり、静止画像データを記憶する。入力手段１２は、キーボードやマウスからなり、利用者が画像編集サイトにアクセスして静止画像データを編集・閲覧する際に、各種要求の入力に供される手段を構成する。表示手段１４は、ＣＲＴ・液晶等のディスプレイからなり、静止画像データの編集や閲覧に供される手段を構成する。スピーカ１６は、編集された静止画像データに付設された楽曲を聴取する手段を構成する。
【００１１】
前記画像編集サーバ８は、制御手段１８と入出力手段２０と画像編集サイト運営手段２２とデータ記憶手段２４と動的画像処理設定手段２６と静止画像データ処理手段２８と楽曲データ設定手段３０とデータ出力手段３２とを備えている。
【００１２】
制御手段１８は、システム全体をプログラムに沿って制御する。入出力手段２０は、データの入出力を処理する。画像編集サイト運営手段２２は、画像編集サイトを運営する。データ記憶手段２４は、各種データを記憶する。動的画像処理設定手段２６は、端末６からの画像処理要求に応じて、静止画像データに対する動的画像処理を設定する。静止画像データ処理手段２８は、動的画像処理設定手段２６により設定された動的画像処理に基づいて静止画像データを処理する。動的画像処理としては、静止画像を移動させる処理、変形させる処理、拡大縮小する処理、色を変化させる処理、透明度を変化させる処理等がある。
【００１３】
楽曲データ設定手段３０は、端末６からの楽曲設定要求に応じて、静止画像データに付設される楽曲の楽曲データを設定する。データ出力手段３２は、端末６からの閲覧要求に応じて、静止画像データ処理手段２８により動的画像処理された静止画像データを出力するとともに、この動的画像処理された静止画像データの出力に同調して楽曲データ設定手段３０により設定された楽曲データを出力する。
【００１４】
前記動的画像処理設定手段２６は、１つの静止画像データに対する処理として設定することができる複数の動的画像処理を有するとともに、２つの静止画像データが切り換わる際の処理として設定することができる複数の動的画像処理を有している。前記楽曲データ設定手段３０は、１つの静止画像データに対する楽曲として付設することができる複数の楽曲データを有するとともに、２つの静止画像データが切り換わる際の楽曲として設定することができる複数の楽曲データを有している。動的画像処理設定手段２６により設定される動的画像処理と楽曲データ設定手段３０により設定される楽曲データとは、データ記憶手段２４に記憶されている。
【００１５】
次に作用を説明する。
【００１６】
画像編集システム２は、図１に示す如く、利用者が端末６から電気通信回線４を介して画像編集サーバ８により運営される画像編集サイトにアクセスしてプログラムがスタートすると（１０２）、先ず、端末６において記憶手段１０に記憶した静止画像データから動的画像処理を加える静止画像データを選択して設定する（１０４）。
【００１７】
次に、この設定した静止画像データに対する動的画像処理を、画像編集サイト上に表示される複数の動的画像処理から端末６により選択して設定し（１０６）、設定した静止画像データに付設される楽曲の楽曲データを、画像編集サイト上に表示される複数の楽曲データから端末６により選択して設定し（１０８）、これら設定に対して端末６から設定変更要求が有るか無いかを判断する（１１０）。
【００１８】
端末６からの設定変更要求が有る場合は、処理（１０６）に戻る。端末６からの設定変更要求が無い場合は、設定を保存し（１１２）、端末６から動的画像処理を加え且つ楽曲データを付設するための静止画像データの追加要求が有るか無いかを判断する（１１４）。
【００１９】
端末６からの静止画像データの追加要求が無い場合は、端末６からの閲覧要求に応じて静止画像データ処理手段２８により動的画像処理された静止画像データを出力するとともに、この動的画像処理された静止画像データの出力に同調して楽曲データ設定手段３０により設定された楽曲データを出力し（１１６）、画像編集サイトを閉じるとプログラムがエンドになる（１１８）。
【００２０】
一方、端末６からの静止画像データの追加要求が有る場合は、端末６において記憶手段１０に記憶した静止画像データから動的画像処理を加えるための追加の静止画像データを選択して設定し（１２０）し、この追加の静止画像データに対する動的画像処理を画像編集サイト上に表示される複数の動的画像処理から端末６により選択して設定し（１２２）、先の静止画像データと今回の追加された静止画像データとの２つが切り換わる際の動的画像処理を画像編集サイト上に表示される複数の動的画像処理から端末６により選択して設定する（１２４）。
【００２１】
次に、追加の静止画像データに付設される楽曲の楽曲データを画像編集サイト上に表示される複数の楽曲データから端末６により選択して設定し（１２６）、先の静止画像データと今回の追加された静止画像データとの２つが切り換わる際の楽曲の楽曲データを画像編集サイト上に表示される複数の楽曲データから端末６により選択して設定し（１２８）、これら設定に対して端末６から設定変更要求が有るか無いかを判断する（１３０）。
【００２２】
端末６からの設定変更要求が有る場合は、処理（１２２）に戻る。端末６からの設定変更要求が無い場合は、設定を保存し（１３２）、端末６から動的画像処理を加え且つ楽曲データを付設するための静止画像データの追加要求が有るか無いかを判断する（１３４）。
【００２３】
端末６からの静止画像データの追加要求が無い場合は、端末６からの閲覧要求に応じて静止画像データ処理手段２８により動的画像処理された静止画像データを出力するとともに、この動的画像処理された静止画像データの出力に同調して楽曲データ設定手段３０により設定された楽曲データを出力し（１１６）、画像編集サイトを閉じるとプログラムがエンドになる（１１８）。
【００２４】
一方、静止画像データの追加が有る場合は、処理（１２０）に戻る。
【００２５】
このように、この画像編集システム２は、静止画像データを記憶した端末６を電気通信回線４を介して画像編集サーバ８に接続し、端末６からの画像処理要求に応じて画像編集サーバ８の動的画像処理設定手段２６により静止画像データに対する動的画像処理を設定し、端末６からの楽曲設定要求に応じて楽曲データ設定手段３０により静止画像データに付設される楽曲の楽曲データを設定し、端末６からの閲覧要求に応じて静止画像データ処理手段２８により動的画像処理された静止画像データを出力するとともにこの動的画像処理された静止画像データの出力に同調して楽曲データ設定手段３０により設定された楽曲データを出力する。
【００２６】
これにより、この画像編集システム２は、端末６に画像編集ソフトウェアをインストールすることなく、静止画像を動画のように見えるように簡単に編集することができ、動画のように見える静止画像に簡単に楽曲を付けることができ、楽曲に合わせて静止画像を動画のように見せる処理を加えることができる。
【００２７】
また、この画像編集システム２は、１つの静止画像データに対して動画のように見えるように動的画像処理をするだけでなく、２つの静止画像データが切り換わる際に画像がつながるように動的画像処理をすることができ、さらに、１つの静止画像データに対して楽曲を付けるだけでなく、２つの静止画像データが切り換わる際につながりを持たせるように楽曲を付けることができ、楽曲に合わせて静止画像を切り換えることができる。
【００２８】
このため、この画像編集システム２は、インターネット上において簡単に静止画像を動画のように編集することができ、楽曲を付けて画像により迫力を持たせることができ、静止画像の新たな利用形態を実現することができる。
【００２９】
なお、この画像編集システム２は、上述実施例に限定されることなく、種々の応用改変が可能である。
【００３０】
例えば、上述実施例においては、静止画像データに対する動的画像処理や楽曲データを複数の中から選択して設定したが、動的画像処理による効果を示す表現（例えば、「さわやか」や「ゆらゆら」等）をキーワードとして動的画像処理や楽曲データを検索可能とするとともに、検索した動的画像処理や楽曲データによる効果を確認可能とすることにより、所望する画像表現に適した動的画像処理や楽曲データを容易に設定することができ、また、表現傾向を同じくする動的画像処理や楽曲データをリスト化することにより、所望する画像表現に適した動的画像処理や楽曲データを容易に見つけだすことができる。
【００３１】
また、動的画像処理としては、静止画像を移動させる処理、変形させる処理、拡大縮小する処理、色を変化させる処理、透明度を変化させる処理等があるが、静止画像の人物を加齢する処理を付加することにより、動画のように見える効果だけでなく、時間経過を表現することができ、また、各処理を組み合わせて新しい動的画像処理を創出可能とすることにより、画像表現を拡大することができる。
【００３２】
さらに、この画像編集システム２は、静止画像データに対して動的画像処理や楽曲データをどの程度設定したかを表すアシスト量に応じて点数を付けることにより、作品のランク付けに使用することができ、画像編集サーバ８に画像配信サーバ３４を接続（図２参照）し、この画像配信サーバ３４にランク付けした作品を蓄積して配信することにより、利用者に作品の発表の機会を与えることができるとともに画像編集サイトの注目度を高めて集客効果をあげることができる。
【００３３】
さらにまた、この画像編集システム２は、静止画像データに付設する楽曲データを複数の中から選択して設定したが、選択された静止画像データの内容や雰囲気を判別し、判別結果に応じて楽曲データを選択させるように制御することにより、静止画像データに対応する楽曲データを自動的に設定することができ、また、動的画像処理による効果に応じた楽曲を自動的に作曲可能とし、あるいは、利用者が作曲した楽曲を静止画像データに付設可能とすることにより、画像表現を拡大することができ、さらに、選択した楽曲データの内容や雰囲気を判別し、判別結果に応じて動的画像処理を選択させるように制御することにより、楽曲データに対応する動的画像処理を自動的に設定することができる。
【００３４】
また、上述実施例においては、静止画像に動的画像処理を施して楽曲を付けたが、静止画像に楽曲に応じた音声を付設可能とすることにより、動画のように見える静止画像に楽曲を流しながらメッセージを流すことができ、画像表現をさらに拡大することができる。
【産業上の利用可能性】
【００３５】
この発明の画像編集システムは、端末に画像編集ソフトウェアをインストールすることなく、インターネット上において、簡単に静止画像を動画のように編集することができ、静止画像の新たな利用形態を実現することができる。
【図面の簡単な説明】
【００３６】
【図１】この発明の実施例を示す画像編集システムの編集フローチャートである。
【図２】画像編集システムの構成図である。
【符号の説明】
【００３７】
２  画像編集システム
４  電気通信回線
６  端末
８  画像編集サーバ
１０  記憶手段
１２  入力手段
１４  表示手段
１６  スピーカ
１８  制御手段
２０  入出力手段
２２  画像編集サイト運営手段
２４  データ記憶手段
２６  動的画像処理設定手段
２８  静止画像データ処理手段
３０  楽曲データ設定手段
３２  データ出力手段
【図１】
2005228022.tif 000003
【図２】
2005228022.tif 000004